(57)【要約】【課題】小型に構成しても生産性の低下を防止できる、写真処理装置を提供する。【解決手段】写真処理装置１０は、各構成要素の動作を制御するコントローラ１６、搬送経路Ｔ上に設けられる露光部２０、搬送経路Ｔ上かつ露光部２０の下流側に設けられる現像部１００、搬送経路Ｔ上かつ露光部２０と現像部１００との間に設けられ印画紙Ｓを反転させる反転部２６、および反転部２６と現像部１００との間に設けられる搬送部２８ａ，２８ｂを含む。コントローラ１６は、印画紙Ｓの先端が反転部２６と現像部１００との間の位置Ｐ４に到達するまでは印画紙Ｓを高速搬送し、印画紙Ｓの先端が位置Ｐ４に到達すれば印画紙Ｓを低速搬送するように、搬送部２８ａ，２８ｂを制御する。【選択図】図６
2007178740.tif 000002
【特許請求の範囲】
【請求項１】
所定の搬送経路に沿って感光材料を搬送する写真処理装置であって、
前記搬送経路上に設けられ前記感光材料に画像を形成する露光部、
前記搬送経路上かつ前記露光部の下流側に設けられ前記感光材料を所定の速度で搬送しつつ前記感光材料に現像処理を施す現像部、
前記搬送経路上かつ前記露光部と前記現像部との間に設けられ前記感光材料の裏表を反転させる反転部、
前記搬送経路上かつ前記反転部と前記現像部との間に設けられ前記反転部からの前記感光材料を前記現像部に向けて搬送する搬送部、および
前記搬送経路上における前記感光材料の位置に基づいて前記搬送部を制御する制御手段を備え、
前記制御手段は、前記搬送経路上かつ前記搬送部と前記現像部との間の所定の位置に到達するまでは前記感光材料を前記所定の速度よりも速い速度で搬送し、前記所定の位置に到達すれば前記感光材料を前記所定の速度で搬送するように前記搬送部を制御する、写真処理装置。
【請求項２】
前記搬送部は前記感光材料の搬送方向に並べられる複数のローラを含む、請求項１に記載の写真処理装置。
【請求項３】
前記搬送部は前記感光材料の幅方向に複数設けられ、
複数の前記搬送部に前記感光材料を振り分けるために前記反転部を前記幅方向に移動させる駆動手段をさらに含む、請求項１または２に記載の写真処理装置。
【発明の詳細な説明】
【技術分野】
【０００１】
この発明は写真処理装置に関し、より特定的には、所定の搬送経路に沿って感光材料を搬送する写真処理装置に関する。
【背景技術】
【０００２】
一般に、露光部で画像を露光（焼き付け）形成した感光材料に現像部で現像処理を施すことによって、写真プリントを作製する写真処理装置が知られている。
たとえば特許文献１には、露光済みの感光材料の裏表を反転させる反転部、反転部の下流側に設けられ感光材料を現像部に導入する導入ユニット、反転部と挿入ユニットとの間に設けられ導入ユニットに感光材料を与える中間ローラ、および反転部と中間ローラとの間を移動して中間ローラに感光材料を与えるチャッカを含む、写真処理装置が開示されている。このような写真処理装置では、中間ローラによる感光材料の搬送速度が、導入ユニットおよび現像部における感光材料の搬送速度に設定されており、反転部の上流側における感光材料の搬送速度よりも遅い。そこで、チャッカによる感光材料の搬送速度を高速に設定することによって、つまり、チャッカで感光材料を高速搬送することによって、チャッカの上流側と下流側とにおける搬送速度の差を吸収していた。
近年、このような写真処理装置において、反転部と中間ローラとの間を短くし、小型に構成することが提案されている。
【特許文献１】特開２００５−６００１２
【発明の開示】
【発明が解決しようとする課題】
【０００３】
しかし、短い間隔にチャッカを設けることは困難であった。また、チャッカを省いて反転部から中間ローラに直接的に感光材料を与えると、中間ローラの搬送速度が遅いために感光材料を搬送速度が遅くなってしまう。つまり、小型に構成するためにチャッカを省くことによって、高速搬送できなくなり、処理能力ひいては生産性が低下してしまうという問題があった。
【０００４】
それゆえに、この発明の主たる目的は、小型に構成しても生産性の低下を防止できる、写真処理装置を提供することである。
【課題を解決するための手段】
【０００５】
上述の目的を達成するために、請求項１に記載の写真処理装置は、所定の搬送経路に沿って感光材料を搬送する写真処理装置であって、搬送経路上に設けられ感光材料に画像を形成する露光部、搬送経路上かつ露光部の下流側に設けられ感光材料を所定の速度で搬送しつつ感光材料に現像処理を施す現像部、搬送経路上かつ露光部と現像部との間に設けられ感光材料の裏表を反転させる反転部、搬送経路上かつ反転部と現像部との間に設けられ反転部からの感光材料を現像部に向けて搬送する搬送部、および搬送経路上における感光材料の位置に基づいて搬送部を制御する制御手段を備え、制御手段は、搬送経路上かつ搬送部と現像部との間の所定の位置に到達するまでは感光材料を所定の速度よりも速い速度で搬送し、所定の位置に到達すれば感光材料を所定の速度で搬送するように搬送部を制御する。
【０００６】
請求項２に記載の写真処理装置は、請求項１に記載の写真処理装置において、搬送部は感光材料の搬送方向に並べられる複数のローラを含むことを特徴とする。
【０００７】
請求項３に記載の写真処理装置は、請求項１または２に記載の写真処理装置において、搬送部は感光材料の幅方向に複数設けられ、複数の搬送部に感光材料を振り分けるために反転部を幅方向に移動させる駆動手段をさらに含むことを特徴とする。
【０００８】
請求項１に記載の写真処理装置では、制御手段が搬送部を制御することによって、搬送経路上かつ搬送部と現像部との間の所定の位置に到達するまでは感光材料が現像部の所定の速度よりも速い速度で搬送され、所定の位置に到達すれば感光材料が所定の速度で搬送される。このように搬送経路上における感光材料の位置に基づいて感光材料を搬送する速度を制御し、搬送部と現像部との間で感光材料を高速に搬送することによって、感光材料を短時間に搬送できる。したがって、小型に構成しても生産性の低下を防止できる。
【０００９】
請求項２に記載の写真処理装置では、感光材料の搬送方向に複数のローラを配列して搬送部が構成され、チャッカを用いずとも様々なサイズの感光材料を搬送できる。
【００１０】
請求項３に記載の写真処理装置では、駆動手段が感光材料の幅方向に反転部を移動させることによって、感光材料が複数の搬送部に振り分けられる。このように、反転部の下流側で感光材料を幅方向に複数並べて搬送できるので、反転部の上流側で感光材料を高速に搬送しても反転部の下流側で感光材料を連続して搬送でき、生産性を向上させることができる。
【発明の効果】
【００１１】
この発明によれば、小型に構成しても生産性の低下を防止できる、写真処理装置が得られる。
【発明を実施するための最良の形態】
【００１２】
以下、図面を参照して、この発明の実施の形態について説明する。
図１を参照して、写真処理装置１０は感光材料の一例である銀塩印画紙（以下、単に印画紙という）Ｓに露光処理を施すプリント部１２、露光済みの印画紙Ｓに現像処理と乾燥処理とを施すプロセッサ部１４、および写真処理装置１０の各構成要素の動作を制御するコントローラ１６を備える。
【００１３】
プリント部１２は、長尺の印画紙Ｓを収納するペーパーマガジン１８と、所定の搬送経路Ｔ（一点鎖線で示す）上に設けられる露光部２０とを含む。ペーパーマガジン１８から引き出された印画紙Ｓは、図示しないカッタによって適宜のサイズにカットされ、搬送経路Ｔに沿って搬送される。
【００１４】
露光部２０は、２つのローラ２２とデジタル露光ヘッド２４とを含む。２つのローラ２２は搬送経路Ｔ上で印画紙Ｓの搬送方向（矢印Ａ方向）に配列され、デジタル露光ヘッド２４は搬送経路Ｔを挟んで２つのローラ２２に対向配置される。デジタル露光ヘッド２４は、たとえばレーザ露光方式に構成される。デジタル露光ヘッド２４から出射されるレーザ光Ｌは、２つのローラ２２の間かつ中央の露光位置Ｐでカット済みの印画紙Ｓに与えられ、印画紙Ｓの幅方向（矢印Ｂ方向：図２参照）に走査される。このような露光部２０では、２つのローラ２２によってカット済みの印画紙Ｓを搬送し、デジタル露光ヘッド２４によってカット済みの印画紙Ｓに画像（潜像）を露光（焼き付け）形成する。
【００１５】
また、プリント部１２において、搬送経路Ｔ上かつ露光部２０の下流側には、反転部２６および搬送部２８が順に設けられる。さらに、搬送経路Ｔ上かつ搬送部２８の下流側には、プリント部１２とプロセッサ部１４とを跨ぐ挿入ラック３０が設けられる。
【００１６】
反転部２６は、露光部２０から与えられる露光済みの印画紙Ｓの裏表を反転させ、反転させた印画紙Ｓを搬送部２８に向けて搬送する。搬送部２８は、反転部２６からの印画紙Ｓを挿入ラック３０に向けて搬送する。
【００１７】
ここで、図２および図３を参照して、反転部２６および搬送部２８について詳しく説明する。
図２に示すように、反転部２６は、プリント部１２のメインフレーム１２ａに設けられる移動フレーム３２、移動フレーム３２上で間隔を有して矢印Ｂ方向に並設される支持プレート３４ａ，３４ｂ、支持プレート３４ａ，３４ｂ間に配置されるコ字状の筐体３６、および矢印Ｂ方向に延びて筐体３６を貫通するローラ対３８を含む。
【００１８】
印画紙Ｓを搬送するためのローラ対３８は、駆動ローラ４０と圧着ローラ４２とを含む。ローラ対３８は、駆動ローラ４０の回転軸４０ａと圧着ローラ４２の回転軸４２ａとをそれぞれ筐体３６の両側壁に貫通させることによって、筐体３６に回転可能に設けられる。また、駆動ローラ４０の回転軸４０ａは支持プレート３４ａ，３４ｂをも貫通する。これによって筐体３６が回転軸４０ａを支軸として支持プレート３４ａ，３４ｂに回転可能に支持される。
【００１９】
支持プレート３４ａには、ステッピングモータ等であるモータ４４が設けられる。モータ４４の回転軸に設けられるプーリ４６は、ベルト４８によって回転軸４０ａの矢印Ｂ方向左端部に設けられるプーリ５０に連結される。したがって、反転部２６では、モータ４４の駆動によって、プーリ４６および５０を回転させ、駆動ローラ４０を回転させる。
【００２０】
また、支持プレート３４ｂには、ステッピングモータ等であるモータ５２が設けられる。モータ５２の回転軸に設けられるプーリ５４は、ベルト５６によって筐体３６の矢印Ｂ方向右側の側壁に設けられるプーリ５８に連結される。したがって、反転部２６では、モータ５２の駆動によって、プーリ５４および５８を回転させる。ひいては、図３に示すように、筐体３６を矢印Ｃ１方向（時計回り方向）あるいは矢印Ｃ２方向（反時計回り方向）に回転させる。このように、筐体３６を回転させることによって、反転部２６では、露光部２０から印画紙Ｓを受け取り可能な受け取り状態（図３に実線で示す）と搬送部２８に印画紙Ｓを引き渡し可能な引き渡し状態（図３に一点鎖線で示す）とが切り替えられる。
【００２１】
また、図２に示すように、移動フレーム３２上には、圧着ローラ４２の駆動ローラ４０への圧着および圧着解除を行うための圧着駆動部６０が設けられる。圧着駆動部６０は、回転軸４２ａの矢印Ｂ方向左端部を回転可能に保持し、回転軸４２ａを駆動ローラ４０に近付けることによって圧着ローラ４２を駆動ローラ４０に圧着させ、回転軸４２ａを駆動ローラ４０から遠ざけることによって圧着を解除する。なお、図２には、圧着を解除した状態が一点鎖線で示されている。
【００２２】
図３に示すように、搬送部２８は搬送経路Ｔ（図１参照）上かつ矢印Ａ方向に配列されるローラ対６２，６４を含む。また、図２に示すように、搬送部２８は、矢印Ｂ方向に複数（ここでは２つ）設けられる。以下、矢印Ｂ方向左側の搬送部２８を搬送部２８ａといい、矢印Ｂ方向右側の搬送部２８を搬送部２８ｂという。
【００２３】
図３に示すように、搬送部２８ａのローラ対６２は、駆動ローラ６６と従動ローラ６８とを含み、メインフレーム１２ａに設けられる支持部材７４によって支持される。詳しくは、搬送部２８ａのローラ対６２は、駆動ローラ６６の回転軸６６ａと従動ローラ６８の回転軸６８ａとを貫通させることによって、コ字状に形成される支持部材７４の矢印Ｂ方向左側の側壁７４ａ（図２参照）に回転可能に支持される。搬送部２８ｂのローラ対６２についても同様に、支持部材７４の矢印Ｂ方向右側の側壁７４ｂ（図２参照）に回転可能に支持される。
【００２４】
また、搬送部２８ａのローラ対６４は、駆動ローラ７０と従動ローラ７２とを含み、側壁７４ａの上端部に設けられる支持プレート７６ａによって支持される。詳しくは、搬送部２８ａのローラ対６４は、駆動ローラ７０の回転軸７０ａと従動ローラ７２の回転軸７２ａとを貫通させることによって、支持プレート７６ａに回転可能に支持される。搬送部２８ｂのローラ対６４についても同様に、側壁７４ｂの上端部に設けられる支持プレート７６ｂ（図２参照）に回転可能に支持される。
【００２５】
また、図２に示すように、支持部材７４の側壁７４ａにはステッピングモータ等であるモータ７８ａが対向配置され、同様に、支持部材７４の側壁７４ｂにはステッピングモータ等であるモータ７８ｂが対向配置される。搬送部２８ａにおいて、モータ７８ａの回転軸に設けられるプーリ８０ａは、ベルト８２ａによって回転軸６６ａの矢印Ｂ方向左端部に設けられるプーリ８４ａと回転軸７０ａの矢印Ｂ方向左端部に設けられるプーリ８６ａとに連結される。同様に、搬送部２８ｂにおいて、モータ７８ｂの回転軸に設けられるプーリ８０ｂは、ベルト８２ｂによって回転軸６６ａの矢印Ｂ方向右端部に設けられるプーリ８４ｂと、回転軸７０ａの矢印Ｂ方向右端部に設けられるプーリ８６ｂとに連結される。
【００２６】
搬送部２８ａでは、モータ７８ａの駆動によって、プーリ８０ａ，８４ａおよび８６ａを回転させ、駆動ローラ６６および７０を回転させる。ひいてはローラ対６２および６４を回転させる。搬送部２８ｂについても同様に、モータ７８ｂの駆動によって、ローラ対６２および６４を回転させる。
【００２７】
また、図３に示すように、メインフレーム１２ａには、移動フレーム３２を矢印Ｂ方向（図２参照）に移動させるための複数（ここでは２つ）のスライダ８６とモータ８８とが設けられる。２つのスライダ８６は移動フレーム３２とメインフレーム１２ａとの間に介挿され、移動フレーム３２を矢印Ｂ方向に移動可能に配置する。モータ８８は取付部材９０によってメインフレーム１２ａに取り付けられる。モータ８８の回転軸にはギア９２が設けられ、ギア９２は移動フレーム３２の下端部に設けられる係合部３２ａ（図２参照）に係合する。この実施形態では、移動フレーム３２、スライダ８６およびモータ８８によって駆動手段が構成される。
【００２８】
モータ８８は、筐体３６の中央Ｃ１と搬送部２８ａ，２８ｂ間の中央Ｃ２とが矢印Ａ方向に並ぶホームポジション（図２参照）から、反転部２６を矢印Ｂ方向のいずれか一方に移動させる。具体的には、図４および図５をも参照して、モータ８８は、筐体３６の中央Ｃ１が搬送部２８ａ，２８ｂ間の中央Ｃ２に対して矢印Ｂ方向左側あるいは矢印Ｂ方向右側に距離Ｄだけずれるように、反転部２６を移動させる。このように反転部２６を移動させることによって、反転部２６を搬送部２８ａに対応する位置（図４参照）あるいは搬送部２８ｂに対応する位置（図５参照）に配置でき、搬送部２８ａと２８ｂとに印画紙Ｓを振り分けることができる。たとえば、矢印Ａ方向の寸法１２７ｍｍ×矢印Ｂ方向の寸法８９ｍｍの印画紙Ｓを搬送し、Ｌ版の写真プリントを作製する場合、距離Ｄは６１．２ｍｍに設定される。
【００２９】
また、図３に示すように、搬送経路Ｔ（図１参照）上かつ露光部２０と反転部２６との間には、印画紙Ｓの位置を検出するためのセンサ９４が設けられる。
【００３０】
このような反転部２６と搬送部２８ａ（２８ｂ）とによって搬送された印画紙Ｓは、挿入ユニット３０に与えられる。図３に示すように、挿入ユニット３０は、プリント部１２とプロセッサ部１４とを跨いで配置される筐体９６と、筐体９６内に設けられるローラ対９８ａ，９８ｂおよび９８ｃとを含む。挿入ユニット３０は、ローラ対９８ａ〜９８ｃをそれぞれ回転させることによって、搬送部２８ａ（２８ｂ）から与えられる露光済みの印画紙Ｓをプロセッサ部１４の現像部１００に挿入する。ローラ対９８ａ〜９８ｃは、現像部１００が印画紙Ｓを搬送する速度で印画紙Ｓを搬送する。
【００３１】
なお、搬送経路Ｔ上において、複数のローラ（ローラ対）は、少なくとも１つのローラ（ローラ対）が印画紙Ｓを保持できるように配置されている。つまり、複数のローラ（ローラ対）は、少なくとも１つのローラ（ローラ対）によって印画紙Ｓを搬送できるように配置されている。
【００３２】
図１に戻って、プロセッサ部１４は、現像部１００と乾燥部１０２とを含む。
現像部１００は、種類の異なる処理液をそれぞれ収容する複数の処理槽を含み、露光済みの印画紙Ｓを所定の速度で搬送して複数の処理槽内を順に通過させる。これによって露光済みの印画紙Ｓに現像、定着および洗浄等の処理が施され、露光済みの印画紙Ｓに形成された潜像が現像される。現像部１００における印画紙Ｓの搬送速度は、露光部２０の２つのローラ２２による印画紙Ｓの搬送速度よりも遅く設定されている。
【００３３】
乾燥部１０２は、ヒータ１０４を有し、ヒータ１０４の発熱によって現像済みの印画紙Ｓに加熱・乾燥処理を施す。プロセッサ部１４で現像処理および乾燥処理が施された印画紙Ｓは、プロセッサ部１４の排出口１４ａから仕上がりプリントとして排出される。
【００３４】
パーソナルコンピュータ等であるコントローラ１６は、図示しないＣＰＵバスで相互に接続されたＣＰＵ１６ａ、ＲＯＭ１６ｂ、ＲＡＭ１６ｃおよびハードディスクドライブ（ＨＤＤ：ハードディスクを含む）１６ｄを含む。また、コントローラ１６には、モニタ等の表示部１０６、およびオペレータが種々の指示や設定を行うためのキーボードやマウス等の入力部１０８が接続される。表示部１０６には、写真処理装置１０の操作を容易にするＧＵＩ（Graphical User Interface）や印画紙Ｓに形成すべき画像等が表示される。この実施形態では、コントローラ１６が制御手段としても機能する。
【００３５】
ＣＰＵ１６ａは、ＲＯＭ１６ｂやＨＤＤ１６ｄに格納された各種のプログラムを実行し、データを処理し、写真処理装置１０の各構成要素に指示を与え、写真処理装置１０の動作を制御する。たとえば、ＣＰＵ１６ａの指示に従って、モータ４４，５２，７８ａ，７８ｂおよび８８にパルス信号が与えられ、モータ４４，５２，７８ａ，７８ｂおよび８８が制御される。また、ＣＰＵ１６ａは、センサ９４からの検出信号とモータ４４，５２，７８ａ，７８ｂおよび８８に与えるパルス信号とに基づいて印画紙Ｓの位置を検出する。
【００３６】
ＲＯＭ１６ｂは、起動用プログラム等を格納している。起動用プログラムをＣＰＵ１６ａが実行することによって、ＨＤＤ１６ｄに格納されているオペレーティングシステム（ＯＳ）や写真処理装置１０を制御するためのプログラム等がＲＡＭ１６ｃにロードされ、各種の処理や制御が実行可能となる。
【００３７】
ＲＡＭ１６ｃには、写真処理装置１０を制御するためのプログラム等が展開され、プログラムによる処理結果、処理のための一時データ、表示部１０６の画面上に情報を表示するための表示用データ（テキストデータ、画像データ等）等を保持し、ＣＰＵ１６ａの作業領域として使用される。ＲＡＭ１６ｃ上に展開された表示用データは、表示部１０６に伝達され、表示部１０６は、その画面上に表示用データに対応する表示内容（テキスト、画像等）を表示する。
【００３８】
ＨＤＤ１６ｄは、ＣＰＵ１６ａの指示に従って、プログラム、制御用データ、テキストデータ、画像データ等を、ハードディスクに対して書き込みまたは読み出す。この実施形態では、図６に示す動作を実行するためのプログラムがＨＤＤ１６ｄに格納されている。
【００３９】
また、このようなコントローラ１６には、スキャナ１１０が接続される。スキャナ１１０は、写真用のフィルム等をスキャンすることによって、当該フィルムに形成された画像に対応する画像データをコントローラ１６に入力する。コントローラ１６は、スキャナ１１０から出力された画像データを露光部２０のデジタル露光ヘッド２４に入力し、当該画像データに基づく画像が印画紙Ｓに露光形成される。
【００４０】
ついで、図６〜図１０を参照してこのような写真処理装置１０における反転部２６および搬送部２８ａ，２８ｂの動作の一例について説明する。ここでは、反転部２６と搬送部２８ａとによって、Ｌ版に対応する印画紙Ｓを搬送する場合について説明する。
【００４１】
まず、印画紙Ｓの先端がセンサ９４によって検出されると、ホームポジションに配置される反転部２６（図２参照）においてローラ対３８の回転が開始される（ステップＳ１）。詳しくは、圧着ローラ４２の駆動ローラ４０への圧着および駆動ローラ４０の回転が開始される。ステップＳ１においては、ローラ対３８は、露光部２０において印画紙Ｓに画像を露光形成する際の２つのローラ２２の搬送速度と同じ速度（第１の速度）で印画紙Ｓを搬送するように回転する。そして、印画紙Ｓの後端が露光位置Ｐを通過すると、ローラ対３８は２つのローラ２２よりも速い速度で印画紙Ｓを搬送する。
【００４２】
つづいて、図７に示すように、ローラ対３８によって圧着されつつ搬送される印画紙Ｓの後端がセンサ９４の下流の位置Ｐ１に到達すると（ステップＳ３がＹＥＳ）、駆動ローラ４０が停止され（ステップＳ５）、反転部２６における印画紙Ｓの搬送が停止される。位置Ｐ１は、搬送経路Ｔ上において露光位置Ｐからたとえば８５ｍｍ下流に設定される。
【００４３】
つづいて、モータ５２の駆動によって、筐体３６が図７に示す状態から矢印Ｃ１方向に９０°回転される。これによって、図８に示すように、反転部２６が受け取り状態から引き渡し状態に切り替えられる（ステップＳ７）。また、このとき、印画紙Ｓの先端と後端とが入れ替えられ、印画紙Ｓの裏表が反転される。
【００４４】
つづいて、モータ８８の駆動によって、反転部２６がホームポジションから矢印Ｂ方向の一方（ここでは左側）に距離Ｄだけ移動される（ステップＳ９）。これによって、反転部２６が搬送部２８ａに対応する位置に配置される（図４参照）。そして、反転部２６のローラ対３８および搬送部２８ａのローラ対６２，６４が、露光部２０の２つのローラ２２が印画紙Ｓを搬送する速度（第１の速度）および挿入ユニット３０のローラ対９８ａ〜９８ｃが印画紙Ｓを搬送する速度（第２の速度）よりも速い速度（第３の速度）で印画紙Ｓを搬送するように、駆動ローラ４０，６６および７０の回転が開始される。つまり、反転部２６および搬送部２８ａにおいて印画紙Ｓの高速搬送が開始される（ステップＳ１１）。
【００４５】
つづいて、図９に示すように、印画紙Ｓの先端がローラ対６２を通過して位置Ｐ２に到達すると（ステップＳ１３がＹＥＳ）、ローラ対３８において駆動ローラ４０の回転を維持したまま圧着ローラ４２の圧着が解除される（ステップＳ１５）。位置Ｐ２は、搬送経路Ｔ上においてローラ対６２の中心（駆動ローラ６６と従動ローラ６８とが接する位置）からたとえば１５ｍｍ下流に設定される。
【００４６】
つづいて、印画紙Ｓの後端がローラ対３８の下流の位置Ｐ３に到達すると（ステップＳ１７がＹＥＳ）、駆動ローラ４０が停止される（ステップＳ１９）。そして、モータ５２の駆動によって、筐体３６が図９に示す状態から矢印Ｃ２方向に９０°回転され、図１０に示すように反転部２６が受け取り状態に戻される（ステップＳ２１）。その後、モータ８８の駆動によって、反転部２６が矢印Ｂ方向の他方（ここでは右側）に移動される（ステップＳ２３）。これによって、反転部２６がホームポジションに戻される。位置Ｐ３は、搬送経路Ｔ上において図８に示す状態のローラ対３８の中心（駆動ローラ４０と圧着ローラ４２とが接する位置）からたとえば２５ｍｍ下流に設定される。
【００４７】
つづいて、図１０に示すように、印画紙Ｓの先端がローラ対９８ａの手前の位置Ｐ４に到達すると（ステップＳ２５がＹＥＳ）、搬送部２８ａのローラ対６２，６４が挿入ユニット３０のローラ対９８ａ〜９８ｃと同じ速度（第２の速度）で印画紙Ｓを搬送するように、駆動ローラ６６，７０の回転速度を低下させる。つまり、搬送部２８ａにおいて印画紙Ｓが低速搬送される（ステップＳ２７）。位置Ｐ４は、搬送経路Ｔ上においてローラ対９８ａの中心からたとえば８ｍｍ上流に設定される。
【００４８】
なお、印画紙Ｓの矢印Ａ方向の寸法が長く、印画紙Ｓの後端が位置Ｐ３に到達する前に印画紙Ｓの先端が位置Ｐ４に到達する場合は、ステップＳ１７〜Ｓ２３までの処理を実行する前にステップＳ２５およびＳ２７の処理が実行される。
【００４９】
また、図６に示す動作を反転部２６と搬送部２８ａとによって行っている場合、ステップＳ２３の処理が完了した時点で、図６に示す動作が反転部２６と搬送部２８ｂとによっても開始される。つまり、反転部２６と搬送部２８ａとによる図６に示す動作と、反転部２６と搬送部２８ｂとによる図６に示す動作とが並行して行われる。反転部２６と搬送部２８ｂとの動作においては反転部２６が搬送部２８ｂに対応するように移動されることはいうまでもない。
【００５０】
このような写真処理装置１０によれば、コントローラ１６が反転部２６および搬送部２８ａ，２８ｂを制御することによって、搬送経路Ｔ上の位置Ｐ４（図１０参照）に到達するまでは印画紙Ｓが高速搬送され、位置Ｐ４に到達すれば印画紙Ｓが低速搬送される。このように搬送経路Ｔ上における印画紙Ｓの位置に基づいて印画紙Ｓを搬送する速度を制御し、反転部２６および搬送部２８ａ，２８ｂにおいて印画紙Ｓを高速搬送することによって、チャッカを用いた場合と同等あるいはそれ以上に印画紙Ｓを短時間に搬送できる。したがって、小型に構成しても生産性を向上できる。搬送部２８ａ，２８ｂのみならず反転部２６が印画紙Ｓを高速搬送することによって、印画紙Ｓの搬送に要する時間をより短くできる。
【００５１】
搬送経路Ｔ上において矢印Ａ方向に搬送ローラ対６２，６４を配列することによって、チャッカを用いずとも様々なサイズの印画紙Ｓを搬送できる。ひいては様々なサイズの写真プリントを作製できる。
【００５２】
反転部２６を矢印Ｂ方向に移動させ、印画紙Ｓを搬送部２８ａと２８ｂとに振り分けることによって、印画紙Ｓを矢印Ｂ方向に複数並べて搬送できる。したがって反転部２６の上流側で印画紙Ｓを高速に搬送しても反転部２６の下流側で連続して印画紙Ｓを搬送でき、生産性を向上させることができる。
【００５３】
なお、上述の実施形態では、搬送部２８ａと２８ｂとに印画紙Ｓを振り分ける場合について説明したが、この発明はこれに限定されない。たとえば、印画紙Ｓの矢印Ｂ方向の寸法が長い場合は、反転部２６をホームポジションに配置したまま、搬送部２８ａと２８ｂとに印画紙Ｓを与え、反転部２６、搬送部２８ａおよび２８ｂによって１枚の印画紙Ｓを搬送してもよい。また、上述の実施形態では、搬送部２８ａと２８ｂとを設ける場合について説明したが搬送部は１つであってもよい。
【００５４】
さらに、上述の実施形態では、位置Ｐ４（図１０参照）を所定の位置とし、印画紙Ｓの先端が位置Ｐ４に到達すれば高速搬送から低速搬送に切り替える場合について説明したが、この発明はこれに限定されない。搬送速度を変更すべき所定の位置は、反転部２６と現像部１００との間で任意に設定できる。たとえば、挿入ユニット３０のローラ対９８ｃの手前を所定の位置としてもよい。
【図面の簡単な説明】
【００５５】
【図１】この発明の写真処理装置を示す図解図である。
【図２】反転部および搬送部を示す正面図解図である。
【図３】搬送経路の要部を示す図解図である。
【図４】一方の搬送部に対応する位置に反転部を配置した状態を示す正面図解図である。
【図５】他方の搬送部に対応する位置に反転部を配置した状態を示す正面図解図である。
【図６】反転部および搬送部の一例を示すフロー図である。
【図７】反転部が受け取り状態である場合の印画紙の搬送態様を示す図解図である。
【図８】反転部が引き渡し状態である場合の印画紙の搬送態様を示す図解図である。
【図９】反転部および搬送部による印画紙の搬送態様を示す図解図である。
【図１０】搬送部による印画紙の搬送態様を示す図解図である。
【符号の説明】
【００５６】
１０      写真処理装置
１６      コントローラ
２０      露光部
２６      反転部
２８ａ，２８ｂ      搬送部
３２      移動フレーム
３８，６２，６４，９８ａ，９８ｂ，９８ｃ      ローラ対
４０，６６，７０      駆動ローラ
４４，５２，７８ａ，７８ｂ，８８      モータ
８６      スライダ
１００      現像部
Ｓ      印画紙
Ｔ      搬送経路
【図１】
2007178740.tif 000003
【図２】
2007178740.tif 000004
【図３】
2007178740.tif 000005
【図４】
2007178740.tif 000006
【図５】
2007178740.tif 000007
【図６】
2007178740.tif 000008
【図７】
2007178740.tif 000009
【図８】
2007178740.tif 000010
【図９】
2007178740.tif 000011
【図１０】
2007178740.tif 000012